(57)【要約】      （修正有）【課題】内部に収納される指輪の付加価値を高めることが可能な指輪収納ケースを提供する。【解決手段】所定のパターンで表面に凸部を形成している複数の指輪１０を保持するための保持部材３を有する収納ユニット４を筺体２内に設けた指輪収納ケースであって、保持部材は、複数の指輪を着脱自在に軸支し且つ複数の指輪を取り付けられた場合に指輪の回動と同期して回動可能な軸部１９を備え、収納ユニットは、軸部を回動させる駆動機構と、所定の音を発生可能な発音機構とを備え、駆動機構は、複数の指輪を軸部に取り付けた場合に、軸部の回動に応じて軸部の軸線まわりに複数の指輪を互いに同期して回動させる同期回動構造を有しており、発音機構は、複数の振動片１２を有して該振動片１２の振動によって音を生じる振動板９を備える。【選択図】図１
2011059462.tif 000002
【特許請求の範囲】
【請求項１】
筺体を備えるとともに、所定のパターンで表面に凸部を形成している複数の指輪を保持するための保持部材を有する収納ユニットを筺体内に設けた指輪収納ケースであって、
保持部材は、複数の指輪を着脱自在に軸支し且つ複数の指輪を取り付けられた場合に指輪の回動と同期して回動可能な軸部を備え、
収納ユニットは、軸部を回動させる駆動機構と、所定の音を発生可能な発音機構とを備え、
駆動機構は、複数の指輪を軸部に取り付けた場合に、軸部の回動に応じて軸部の軸線まわりに複数の指輪を互いに同期して回動させる同期回動構造を有しており、
発音機構は、複数の振動片を有して該振動片の振動によって音を生じる振動板を備えるとともに、複数の指輪を軸部に取り付けた場合に振動片の先端が指輪の表面の凸部に接触するように、前記振動板を配置しており、且つ、複数の指輪を軸部に取り付けて駆動機構により指輪を回動させた場合に、指輪の凸部の形成パターンに応じた所定のタイミングで指輪の凸部が振動片に選択的に接触して該振動片を弾くことによって、音を発生するように構成されている、ことを特徴とする指輪収納ケース。
【請求項２】
筺体を備えるとともに、所定のパターンで表面に凹部を形成している複数の指輪を保持するための保持部材を有する収納ユニットを筺体内に設けた指輪収納ケースであって、
保持部材は、複数の指輪を着脱自在に軸支し且つ複数の指輪を取り付けられた場合に指輪の回動と同期して回動可能な軸部を備え、
収納ユニットは、軸部を回動させる駆動機構と、所定の音を発生可能な発音機構とを備え、
駆動機構は、複数の指輪を軸部に取り付けた場合に、軸部の回動に応じて軸部の軸線まわりに複数の指輪を互いに同期して回動させる同期回動構造を有しており、
発音機構は、径方向に複数の突出部を有する複数の板カムと、該複数の板カムを個別に回動可能に軸支する連動軸と、複数の振動片を有して該振動片の振動によって音を生じる振動板とを備え、複数の指輪を軸部に取り付けた場合に指輪の凹部に板カムの突出部が噛み合うように、板カムを配設するとともに、個々の振動片の先端が個々の板カムの突出部の先端に接触するように振動板を配設しており、且つ、複数の指輪を軸部に取り付けて駆動機構により指輪を回動させた場合に、指輪の凹部の形成パターンに応じた所定のタイミングで所定の板カムが該板カムのいずれか一つの突出部にて指輪の凹部に噛み合いながら回動するとともに板カムの他のいずれかの突出部の先端を振動片に選択的に接触させて該振動片を弾くことによって、音を発生するように構成されている、ことを特徴とする指輪収納ケース。
【請求項３】
請求項１に記載の指輪収納ケースに収納される指輪であって、表面に所定のパターンで突起を植設して該突起を植設された部分を凸部となすことで、所定のパターンの凸部を形成している、ことを特徴とする指輪。
【請求項４】
請求項２に記載の指輪収納ケースに収納される指輪であって、表面に所定のパターンで小孔を形成して該小孔を形成された部分を凹部となすことで、所定のパターンで凹部を形成している、ことを特徴とする指輪。
【発明の詳細な説明】
【技術分野】
【０００１】
本発明は、指輪収納ケース、及び、それに収納される指輪に関する。
【背景技術】
【０００２】
指輪は、単なる宝飾品としての価値を有するものにとどまらず、結婚など様々な人生の場面を記念する記念品としての価値を有するものとして用いられるようになっている。
【０００３】
指輪の価値が向上するにつれ、指輪を収納するための収容ケース（指輪収容ケース）についても、指輪を収納するためのものにとどまらず、付加価値を有するものが求められている。
【０００４】
そこで、指輪や宝石を収納可能な収納ケースとして、オルゴール用ムーブメントを設けた宝石箱が提案されている（特許文献１）。この宝石箱は、所有者の好みに応じた曲目を演奏可能なオルゴール用ムーブメントを適宜選択して容易に取付けることができるものである点で付加価値を高められたものとなっている。すなわち、特許文献１によれば、指輪や宝石などを収納する収納ケースの付加価値を高めることが可能となる。
【先行技術文献】
【特許文献】
【０００５】
【特許文献１】特願平７−３０６６７５号公報
【発明の概要】
【発明が解決しようとする課題】
【０００６】
しかしながら、特許文献１に記載された宝石箱は、それに収納される指輪の付加価値をも高めることができるものではない。
【０００７】
本発明は、その内部に収納される指輪の付加価値を高めることが可能な指輪収納ケースを提供することを目的とする。
【課題を解決するための手段】
【０００８】
本発明は、（１）筺体を備えるとともに、所定のパターンで表面に凸部を形成している複数の指輪を保持するための保持部材を有する収納ユニットを筺体内に設けた指輪収納ケースであって、
保持部材は、複数の指輪を着脱自在に軸支し且つ複数の指輪を取り付けられた場合に指輪の回動と同期して回動可能な軸部を備え、
収納ユニットは、軸部を回動させる駆動機構と、所定の音を発生可能な発音機構とを備え、
駆動機構は、複数の指輪を軸部に取り付けた場合に、軸部の回動に応じて軸部の軸線まわりに複数の指輪を互いに同期して回動させる同期回動構造を有しており、
発音機構は、複数の振動片を有して該振動片の振動によって音を生じる振動板を備えるとともに、複数の指輪を軸部に取り付けた場合に振動片の先端が指輪の表面の凸部に接触するように、前記振動板を配置しており、且つ、複数の指輪を軸部に取り付けて駆動機構により指輪を回動させた場合に、指輪の凸部の形成パターンに応じた所定のタイミングで指輪の凸部が振動片に選択的に接触して該振動片を弾くことによって、音を発生するように構成されている、ことを特徴とする指輪収納ケース、
（２）筺体を備えるとともに、所定のパターンで表面に凹部を形成している複数の指輪を保持するための保持部材を有する収納ユニットを筺体内に設けた指輪収納ケースであって、
保持部材は、複数の指輪を着脱自在に軸支し且つ複数の指輪を取り付けられた場合に指輪の回動と同期して回動可能な軸部を備え、
収納ユニットは、軸部を回動させる駆動機構と、所定の音を発生可能な発音機構とを備え、
駆動機構は、複数の指輪を軸部に取り付けた場合に、軸部の回動に応じて軸部の軸線まわりに複数の指輪を互いに同期して回動させる同期回動構造を有しており、
発音機構は、径方向に複数の突出部を有する複数の板カムと、該複数の板カムを個別に回動可能に軸支する連動軸と、複数の振動片を有して該振動片の振動によって音を生じる振動板とを備え、複数の指輪を軸部に取り付けた場合に指輪の凹部に板カムの突出部が噛み合うように、板カムを配設するとともに、個々の振動片の先端が個々の板カムの突出部の先端に接触するように振動板を配設しており、且つ、複数の指輪を軸部に取り付けて駆動機構により指輪を回動させた場合に、指輪の凹部の形成パターンに応じた所定のタイミングで所定の板カムが該板カムのいずれか一つの突出部にて指輪の凹部に噛み合いながら回動するとともに板カムの他のいずれかの突出部の先端を振動片に選択的に接触させて該振動片を弾くことによって、音を発生するように構成されている、ことを特徴とする指輪収納ケース、
（３）上記（１）に記載の指輪収納ケースに収納される指輪であって、表面に所定のパターンで突起を植設して該突起を植設された部分を凸部となすことで、所定のパターンの凸部を形成している、ことを特徴とする指輪、
（４）上記（２）に記載の指輪収納ケースに収納される指輪であって、表面に所定のパターンで小孔を形成して該小孔を形成された部分を凹部となすことで、所定のパターンの凹部を形成している、ことを特徴とする指輪、を要旨とする。
【発明の効果】
【０００９】
本発明の指輪収納ケースによれば、収納ユニットに発音機構を設けており、収納ユニットに表面に凹部又は凸部を有する指輪を組み込まれることで、指輪の回動に応じて所定のパターンで音が生じる。本発明では、発音機構に音を発生可能な振動板が設けられており、個々の振動片の振動によって様々な音階の音を生じるように振動板を構成すれば、指輪の表面の凹部又は凸部のパターンに応じた所定のパターンで振動片が選択的に振動されることで、所定の楽曲を奏でることが可能である。
【００１０】
このように、本発明の指輪収納ケースによれば、収納ユニットに指輪を収納することによって全体として楽曲を奏でる機能（楽曲演奏機能）を発揮可能なものとすることができる。このため、指輪収納ケースには、指輪と一体をなして楽曲演奏機能を発揮できるという価値が付加され、指輪収納ケースの付加価値が高められる。さらに、本発明では、収納される指輪の素材を、金や銀、プラチナなど貴金属類や、これら貴金属と同様に耐食性を有するチタンやジルコニウム、さらには両方を組み合わせたものにすると、指輪に宝飾品としての価値が加わり、さらに指輪収納ケースに楽曲演奏機能を発揮させるための部材としての価値とを合わせ持たせることができるため、指輪の付加価値を一層高めることが可能となる。
【００１１】
また、本発明の指輪収納ケースには、複数の指輪が収納される。したがって、本発明の指輪収納ケースによれば、指輪収納ケースと複数の指輪とが一体となったときに複数の指輪の表面の凹部又は凸部のパターンの組み合わせが全体として１つの楽曲を奏でさせるように、複数の指輪の表面に凹部又は凸部を構成することが可能となる。
【００１２】
特に、本発明によれば、結婚指輪のような一般に２つで一組に扱われる指輪についても、指輪の表面の凹部又は凸部のパターンの組み合わせが全体として１つの楽曲を奏でさせるように、複数の指輪の表面に凹部又は凸部を形成でき、その場合、異なる複数の指輪が、１つの指輪収納ケースに収納されることで、１つの楽曲を奏でる機能を有するようになる。そして、このことは、視覚的に見て２つの異なる指輪が、機能的な関連性を有するものとなることを示すとともに、２つの指輪で１つの曲を奏でることに、結婚ということによって２人が関連性を持ち合うこととを照らし合わせて、結婚という目には見えないつながりを、より深く結婚した２人に視覚的に意識させることができるようにすることができる。このため、本発明によれば、結婚指輪のもつ本来の価値をさらに高めることができる。
【００１３】
さらに、本発明の指輪収納ケースによれば、収納される複数の指輪の組み合わせを変えることで新たな曲目を奏でるように、複数の指輪の表面に凹部又は凸部を構成することも可能である。
【００１４】
また、本発明の指輪によれば、指輪収納ケースに収納されて、指輪収納ケースと一体をなすことで、所定の楽曲を奏でさせる機能を発揮させるように構成させることが可能となり、指輪に宝飾品としての価値に加えて楽曲演奏機能を発揮可能させるためのものとしての価値を付加することができる。
【図面の簡単な説明】
【００１５】
【図１】本発明の第１の実施形態の指輪収納ケースの一例において、指輪収納ケースに指輪を収納した状態を説明するための概略平面図である。
【図２】図１のＡ−Ａ線断面図である。
【図３】保持部材を説明するための図である。
【図４】軸体に取り付けられる固定部材の一つの例について、固定部材の構成を説明するための図である。
【図５】（ａ）第１の実施形態の指輪収納ケースの一例において、指輪収納ケースに収納される指輪を説明するための概略斜視図である。（ｂ）第２の実施形態の指輪収納ケースの一例において、指輪収納ケースに収納される指輪を説明するための概略斜視図である。
【図６】本発明の第２の実施形態の指輪収納ケースの一例において、指輪収納ケースに指輪を収納した状態を説明するための概略平面図である。
【図７】本発明の第２の実施形態の指輪収納ケースの一例において、第１フレームに振動ユニットと第１動力伝達軸と第２動力伝達軸を組み込んだ状態を説明するための概略平面図である。
【図８】本発明の第２の実施形態の指輪収納ケースの一例において、第１フレームに振動ユニットと第１動力伝達軸と第２動力伝達軸を組み込んだ状態を説明するための概略底面図である。
【図９】本発明の第２の実施形態の指輪収納ケースの一例において、第１フレームに振動ユニットと第１動力伝達軸と第２動力伝達軸を組み込んだ状態を説明するための概略側面図である。
【図１０】（ａ）本発明の第２の実施形態の指輪収納ケースの一例において、振動ユニットを説明するための概略図である。（ｂ）振動ユニットに組み込まれる回動体を構成するワッシャーを説明するための概略斜視図である。（ｃ）振動ユニットに組み込まれる回動体を構成する板カムを説明するための概略斜視図である。
【図１１】（ａ）軸体に取り付けられる固定部材の他の例について、固定部材の構成を説明するための図である。（ｂ）軸体に取り付けられる固定部材の他の例について、固定部材の構成を説明するための図である。（ｃ）軸体に取り付けられる固定部材の他の例について、固定部材の構成を説明するための図である。
【図１２】（ａ）本発明の第２の実施形態の指輪収納ケースの一例において、指輪の回転にともなう振動ユニットの板カムの回動および振動片の振動制御を説明するための模式図である。（ｂ）本発明の第２の実施形態の指輪収納ケースの一例において、指輪の回転にともなう振動ユニットの板カムの回動および振動片の振動制御を説明するための模式図である。
【図１３】振動板を説明するための概略平面図である。
【図１４】逆回転防止構造を設けた指輪収納ケースを説明するための図である。
【図１５】変移安定化機構を設けた指輪収納ケースを説明するための図である。
【発明を実施するための形態】
【００１６】
（第１の実施形態）
本発明の指輪収納ケース１００について、図１内に示される指輪収納ケース１００の実施例（第１の実施形態の指輪収納ケース１）に基づき詳細に説明する。
【００１７】
本発明の第１の実施形態の指輪収納ケース１（１００）は、筺体２を備えるとともに、所定のパターンで表面に凸部を形成している複数の指輪７０（１０）を保持するための保持部材３を有する収納ユニット４を筺体２内に設けた指輪１０収納用の収納ケースである。
【００１８】
（筺体２）
筺体２は、収納ユニット４を設置可能なものであれば、特に素材や形状を限定されるものではない。図１内に示される指輪収納ケース１の例では、筺体２は、上方に開口した矩形状に形成された木製の箱体となっている。また、筺体２は、箱体の上面開口領域に整合するような形状に形成された蓋体などにて、その箱体上面を閉止されていてもよい。
【００１９】
（収納ユニット４）
収納ユニット４は、筺体２内に配置固定される第１フレーム５とその第１フレーム５に対して支軸８まわりに回動可能に固定された第２フレーム６とからなる一対のフレーム体７と、第１フレーム５の所定位置に固定された振動板９，９とを有しており、第２フレームの所定位置に、保持部材３を、その軸部１９にて回動可能に配設している。さらに、収納ユニット４には、フレーム体７に、保持部材３を駆動させる駆動構造を構成する各種の部材を設けている。
【００２０】
（振動板９）
振動板９は、図１，２，１３に示すように、平面視上全体として櫛歯状の外観部分を呈する金属板で構成されるとともに、振動媒体１１と複数の振動片１２（１２ａ、１２ｂ・・・）とから構成される。振動媒体１１には、所定位置に取り付け孔１３が形成されており、振動板９は、この取り付け孔１３に止着螺子１４を挿通して第１フレーム５上に固定される。取り付け孔１３は、その形状を特に限定されるものではないが、振動片１２の長手方向に細長な長孔であることが好ましい。この場合、取り付け孔１３をなす長孔と止着螺子１４との相対的な位置が適宜変更されることで、第１フレーム５に対する振動板９の固定位置を、振動片１２の長手方向に変更調整することができ、指輪１０のサイズによって変動する回動面と振動板９の先端との離間距離を適宜調整することができる。
【００２１】
複数の振動片１２は、それぞれ、振動媒体１１の端縁に基端１５を有して基端１５から先端１６に向かってのびるとともに互いに長手方向を揃えて振動媒体１１の一端縁に沿って一列に整列形成される。振動片１２は、その先端１６の部分よりもやや内側所定部分を一方向に隆起させて隆起部１７を形成している。図１，２の例では、各振動片１２は、その長手方向に沿った縦断面が略半矢印状となるように隆起部１７を形成している。
【００２２】
複数の振動片１２は、互いに長手方向の長さを異にしており、その長さの順に一列に整列して形成されている。複数の振動片１２は、その先端１６の位置を平面視上一列に揃えており、また、隆起部１７の隆起方向を揃えている。
【００２３】
図１，２の例では、振動板９は、複数の振動片１２の先端１６を斜め上方向に向けた状態で第１フレーム５上に固定されており、さらに振動片１２の先端１６を指輪１０の回動面に向けて配置される。このとき、振動板９は、振動片１２の隆起部１７が下方を向くように配置されている。
【００２４】
（保持部材３）
保持部材３は、図１，３に示すように、複数の指輪１０を着脱自在に軸支し且つ複数の指輪１０を取り付けられた場合に指輪１０の回動と同期して回動可能な軸部１９を備えてなる。
【００２５】
軸部１９は、軸体２２と、指輪１０を軸体２２に対して固定する固定部材２３とを備えてなる。この軸部１９には、軸体２２に、所定の位置に後述の駆動機構１８を構成するウォームホイール５３が設けられる。軸体２２に設けられるウォームホイール５３は、後述のようにギア部５８の一方端面側に軸体２２の長手方向に環状リブ部５９を突設形成してなる。ウォームホイール５３は、ギア部５８と環状リブ部５９を貫通する孔に軸体２２を挿入して軸体２２に設けられる。環状リブ部５９の円筒側面には径方向に貫通する螺子孔８０が設けられており、螺子孔８０に螺子８１を羅合させている。このとき、螺子８１の螺子先が軸体２２に圧着され、環状リブ部５９と一体のウォームホイール５３が軸部１９に螺子止め固定される。なお、このようにウォームホイール５３は軸部１９に固定されるので、ウォームホイール５３の回動と軸部１９の回動は同期する。
【００２６】
固定部材２３は、軸体２２の長手方向の少なくとも一方端側に設けられておればよいが、図１の指輪収納ケース１の例では、軸体２２の長手方向の両端側に設けられている（図３）。固定部材２３は、指輪１０の内側面形状に対して整合可能な外側周面形状を呈し緩衝性を有する緩衝固定材２５と、緩衝固定材２５を軸体２２の長手方向端部で固定する固定芯材２４からなる（図４）。緩衝固定材２５は、スポンジなど弾性と緩衝性に優れた材料から構成される。緩衝固定材２５は、高い弾力性を有するものであるためには、エチレンビニルアセテート（ＥＶＡ）からなるスポンジを用いられてなるものが好ましい。固定芯材２４は、木材や金属材など緩衝固体材２５よりも高い剛性を有するものから構成される。固定芯材２４は、円柱体の一方端を径方向に鍔状に延設して鍔部を形成するとともに、鍔部の形成端側の端面の中央部に軸体２２の端部形状に整合させた軸孔２４ａを形成している。緩衝固定材２５は、緩衝材からなる円柱体の一方端面を陥没させて陥没部２５ａを形成しており、陥没部２５ａの形状は、固定芯材２４の円柱体部分の外面形状に整合するような形状となっている。
【００２７】
（保持部材３の組立て）
固定芯材２４が、その軸孔２４ａに、軸体２２の一方の軸端部分を挿入することで固定され、さらに、固定芯材２４の円柱側面部分と、陥没部２５ａを形成した緩衝固定材２５が、その陥没部２５ａにて軸孔２４ａの非形成端面を覆うように固定芯材２４に装着されることで、軸体２２と固定芯材２４と緩衝固定材２５が相互に固定され、保持部材３が形成される（図４）。なお、このとき、軸体２２と固定芯材２４と緩衝固定材２５は、接着剤を介して相互に固定されていることが好ましい。
【００２８】
（フレーム体７）
フレーム体７は、第１フレーム５を筺体２内の内側底面所定位置に螺子などの固定具で固定されるとともに第１フレーム５の上に第２フレーム６を配置させて形成されている。
【００２９】
第１フレーム５は、平面視上、中央に略長方形状の開口部３５を形成して略ロ字形状に形成されており、開口部３５の長手方向両端側には上方に向かって第１壁部３６と第２壁部３７が互いに対面するように立設形成されており、開口部３５の短手方向に向かいあうように第１壁部３６の下方端と第２壁部３７の下方端を繋ぐ２つの平面長方形状の部分が形成されて下側部３８，３８をなし、さらに、第１壁部３６の上方端と第２壁部３７の上方端を繋ぐ２つの平面長方形状の部分が２つ形成されてそれぞれ上側部（図２に一方の上側部６０のみ図示、他方の上側部は紙面裏面側に形成される）をなしている。また、第１壁部３６の上面には、第１壁部３６と第２壁部３７とが対面する方向（図１中、矢印Ｙ１−Ｙ２方向）および第１壁部３６の突出方向（図２中、矢印Ｚ１−Ｚ２方向のうちの矢印Ｚ１方向）の両方向に対して直交する方向（図１中、矢印Ｘ１−Ｘ２方向）の両端部に、舌片状の突出片６１，６１が上方に向かって突出形成されており、それぞれの突出片６１，６１には、矢印Ｘ１−Ｘ２方向に支軸挿通孔４１が貫通形成されている。第１フレーム５には、下側部３８，３８の長手方向端縁部のうち第２壁部３７に近いほうの端縁部の所定領域に、第１フレーム５の外周縁に向かって下り傾斜する傾斜部４２，４２が形成されており、それぞれの傾斜部４２領域内の所定位置には、振動板９を固定するための止め付け孔４３が（図１，２の例では各傾斜部４２，４２に２箇所ずつ）形成されている。また、第１フレーム５の第１壁部３６と第２壁部３７それぞれの面内方向所定位置に、後述の駆動機構１８を構成する動力伝達軸５０を支持するための支持孔４４，４４がＹ１−Ｙ２方向に穿かれている。
【００３０】
第２フレーム６は、向かいあう２つの側壁部４５と両方の側壁部４５，４５を繋ぐ連結壁部４６，４６とを形成して、平面視上、略細長ロ字形状に形成されてなる。第２フレーム６の向かいあう２つの側壁部４５，４５の内面間距離は、ウォームホイール５３の厚みよりも大きくなるように形成されている。
【００３１】
第２フレーム６において、一方の連結壁部４６の所定位置にＸ１−Ｘ２方向に支軸８を挿通するための軸体挿通孔４７が形成されている。また、２つの側壁部４５，４５には、保持部材３の軸体２２を挿通して軸体２２を回動可能に支持するための支持孔４８，４８が形成されている。また、支持孔４８，４８は、互いに向かい合うように形成されている。
【００３２】
フレーム体７においては、第１フレーム５の第１壁部３６の支軸挿通孔４１と第２フレーム６の支軸挿通孔４７とが対面配置されるように、第１フレーム５の上に第２フレームが配置されている。また、支軸挿通孔４７，４１を通るように支軸８が挿通されており、第１フレーム５と第２フレーム６とが、支軸８まわり（図２中、矢印Ｑ方向）に第２フレーム６を回転可能に取り付けられている。そして、第１フレーム５の第２壁部３７の上面に第２フレームの一方の連結壁部４６（軸体挿通孔４７の形成されていないほうの連結壁部）が載置されることで、第１フレーム５上に第２フレーム６が安定的に配設される。
【００３３】
（駆動機構１８）
駆動機構１８は、保持部材３の軸部１９を回動させる機構であり、駆動軸体４９を備える動力伝達軸５０と、動力伝達軸５０に伝えられた動力を伝達するギア機構５１とからなる。ギア機構５１は、動力伝達軸５０に軸線を揃えて設けられるねじ歯車（円筒ウォーム５２）と、円筒ウォーム５２のウォーム歯に噛合うように歯溝を形成したはす歯歯車（ウォームホイール５３）とで構成される。
【００３４】
動力伝達軸５０は、駆動軸体４９の一方端に動力伝達軸５０を駆動軸体４９の長手方向軸線周りに回動させるためのハンドル５４（図１の例では、クランクハンドル）を取り付けられている。さらに、動力伝達軸５０の駆動軸体４９の他方端側（駆動軸体４９の端部のうちハンドル５４の取り付けを行った方の端部を一方端とした場合の他方端側）の近傍所定位置には円筒ウォーム５２が設けられる。円筒ウォーム５２は、ウォーム歯を形成した部分でなるウォーム部５６からその軸線方向に延びるリブ部５５で螺子止めされて駆動軸体４９に固設されており、円筒ウォーム５２は動力伝達軸５０の回動に同期して一体的に回動する。
【００３５】
ウォームホイール５３は、外周縁に歯溝を形成したギア部５８と、ギア部５８の側面中央から突設された環状リブ部５９とからなり、環状リブ部５９で螺子止めされて軸体２２の所定の位置に固設されている。このウォームホイール５３は、その回動に同期させて軸体２２を一体的に回動させる。このように、駆動機構１８は保持部材３の軸部１９を回動させるための駆動力を、軸体２２に伝える。
【００３６】
（収納ユニット４の組立て）
収納ユニット４は、次のように振動板９と動力伝達軸５０と保持部材３がフレーム体７に取り付けられることで形成される。
【００３７】
振動板９は、振動媒体１１に設けられた取り付け孔１３を第１フレームの傾斜部４２の止め付け穴４３上に重ねるように配置されて、取り付け孔１３に止着螺子１４を貫通させるとともに止め付け穴４３に螺合固定する。このとき、振動板９の振動片１２の先端１６は、第２壁部３７から第１壁部３６に向かう方向に向かうとともに、斜め上方を向く。振動板９，９は、第１フレーム５の個々の傾斜部４２，４２に対して取り付けられ、第１フレーム５には、２枚の振動板９，９が取り付けられる。これらの取り付けられる振動板９，９は、互いに同様に構成された振動片１２を備えるものであってもよいし、構成を異にする振動片１２を備えるものであってもよい。
【００３８】
動力伝達軸５０は、第１フレーム５の第１壁部３６と第２壁部３７に設けられた２つの支持孔４４，４４に軸体４９を通じることで、回動可能に第１フレーム５に支持される。このとき、動力伝達軸５０の軸体４９の一方端は、第１フレーム５の第２壁部３７の支持孔４４を貫通して第２壁部３７よりも外側に突出し、その突出端部側にハンドル５４が配設されている。なお、第２壁部３７と第１壁部３６の間の所定位置に動力伝達軸５０の円筒ウォーム５２が位置している。
【００３９】
保持部材３は、その軸体２２を、第２フレーム６の２つの側壁部４５，４５それぞれに設けられた支持孔４８，４８のそれぞれに挿通させることで、軸体２２の軸周りに回動可能に第２フレーム６に取り付けられる。このとき、軸体２２の両端面は、第２フレーム６の外側まで突出しており、固定部材２３は、第２フレーム６の外側に位置する軸体２２の両端部に取り付けられている。
【００４０】
このように、振動板９と動力伝達軸５０と保持部材３がフレーム体７に取り付けられると、収納ユニット４が形成される。収納ユニット４では、第１フレーム５の第２壁部３７の上面に第２フレーム６の連結壁部４６を載置した場合に、振動板９の振動片１２の先端１６が保持部材３の緩衝固定部材２５の側周面に向けられている。また、動力伝達軸５０と保持部材３の相互の配置は、収納ユニット４が第１フレーム５の第２壁部３７の上面に第２フレーム６の連結壁部４６を載置した状態である場合に、保持部材３のウォームホイール５３の周面が動力伝達軸５０の円筒ウォーム５２のウォーム部５６に対面し、ウォームホイール５３のギア歯と円筒ウォーム５２のウォーム歯とが互いに噛み合うような配置、となっている。
【００４１】
（指輪収納用ケース１の組立て）
指輪収納用ケース１は、収納ユニット４を筺体２に設けることで得ることができる。
収納ユニット４の第１フレーム５を筺体２の内部底面上に配置し、第１フレーム４の四隅で第１フレーム５を筺体２に螺子止固定することで、指輪収納用ケース１を得ることができる。なお、このとき、軸体４９は、筺体２において第１壁部３６の支持孔４４に対面する位置に設けられた貫通孔５７をも貫通して、その一方端を筺体２の外側まで突出させている。そして、図１，２に示すとおり、筺体２の外側に位置する軸体４９の端部に、ハンドル５４が取り付けられている。
【００４２】
次に、指輪１０について説明する。
【００４３】
（指輪１０）
指輪１０には、図５（ａ）に示すように、環状体２０の円筒外側面（回動表面）に所定のパターンの凸部を形成している指輪７０が用いられる。指輪７０（１０）の凸部は、環状体２０の円筒外側表面上に所定のパターンで多数のピン状の突起２１を植設することにより形成されている。すなわち、指輪７０においては、個々の突起２１が凸部をなしている。
【００４４】
指輪７０の突起２１の植設パターンは次のように定められる。すなわち、個々の突起２１は、指輪収納ケース１に指輪７０を収納した際に所定の１つの振動片１２の先端１６に対して対面するような位置に植設される。さらに、突起２１の植設パターンは、指輪収納ケース１に指輪７０（１０）を収納した状態で保持部材３を回動させて振動板９を振動させることによって奏でさせようとする旋律（メロディー）に応じて適宜選択される。
【００４５】
個々の突起２１の口径は、指輪収納ケース１に指輪７０を収納した際に指輪７０の回動表面に対して対面することになる個々の振動片１２（１２ａ、１２ｂ・・・）の対面幅以下の大きさである。また、突起２１の長さは、指輪収納ケース１に指輪７０を収納した際に、指輪７０に対面する振動片１２に対して接触可能となるような長さであって、指輪７０の回動に応じて振動片１２の先端に対して突起２１を係脱自在とするような長さを適宜選択される。このような長さが選択されることにより、指輪収納ケース１に指輪７０を収納するとともに回動させた際に、指輪７０において突起２１が振動片１２に選択的に接触してその振動片１２を弾くように、突起２１が指輪７０に植設されていることになる。
【００４６】
なお、指輪７０を構成する環状体２０はその素材を限定されるものではないが、貴金属であると、指輪７０の宝飾品としての価値がより高められて好ましい。貴金属としては、金、銀、プラチナが挙げられるほか、貴金属と同様に耐食性を有するチタンやジルコニウムあるいはそれらの合金、さらには両方を組み合わせたものでもよい。また、突起２１は、環状体２０に植設可能であり、指輪７０の突起２１を振動片１２に選択的に接触させた際に振動片１２を弾くことが可能な程度の硬度を有するものであれば特に素材を限定されるものではなく、具体的に、突起２１の素材としては、機械的強度の強いチタンやジルコニウムあるいはそれらの合金が望ましい。なお、指輪７０には、突起２１のほかに様々な装飾を施されていてもよい。例えば、指輪７０の回動面にダイヤモンドなどの装飾用微粒子がちりばめられていてもよい。
【００４７】
（指輪収納ケース１への指輪１０の収納）
指輪収納ケース１への複数の指輪１０の収納は、保持部材３への複数の指輪１０の取り付けによって実現される。この取付けは、個々の指輪１０が保持部材３の固定部材２３に嵌めこまれることで実施される（指輪１０の収納）。このとき、個々の指輪１０は、固定部材２３を構成する緩衝固定材２５の緩衝力により保持部材３に装着され、保持部材３と指輪１０との間ですべりを生じないようになっている。なお、保持部材３に装着された指輪１０は、緩衝固定材２５の緩衝力によりその装着状態が維持されているので、保持部材３から容易に取り外すことも可能である。また、緩衝固定材２５は、緩衝性を有するので、指輪１０の内口径が緩衝固定材２５の外径よりも小さくとも、指輪１０を保持部材３に着脱自在に装着することが可能である。したがって、多様なサイズの指輪１０を保持部材３に装着することができる。より具体的に、指輪１０のサイズが、緩衝固定材２５の外径と指輪１０の内口径の差が１ｍｍ程度の範囲内に収まるようなサイズであれば、指輪１０を保持部材３にすべりを生じないように装着することが十分に可能である。
【００４８】
なお、指輪１０の収納では、指輪１０の内面の所定位置が固定部材２３の緩衝固定材２５外面の所定位置に向かい合わせになるように位置あわせされる。このとき、固定部材２３の外面の所定位置に位置指定標識３９を設けておくとともに、固定部材２３の外面の位置指定標識３９に対して向かい合わせとなる指輪１０の所定位置に対面位置指定標識４０を設けておくことが好ましい。このように、上記指輪１０の収納にあたり、位置指定標識３９と対面位置指定標識４０とを向かい合わせにして複数の指輪１０を固定部材２３に装着されることで、複数の指輪１０の収納位置の相対的なずれ（複数の指輪相互間の周方向の位相ずれ）の発生を容易に抑制できる。
【００４９】
複数の指輪１０は、第２フレーム６の外側に位置する軸部１９の固定部材２３に嵌め付けられるので、これらの指輪１０は、第２フレーム６の外側に配置されることとなる。そして、指輪１０が収納ユニット４に収納された状態においては、振動板９の振動片１２の先端１６が、指輪１０の側周面に向けられている（図１，２）。このとき、個々の指輪１０と個々の振動板９は、指輪１０の突起２１と振動片１２の先端１６とが接触可能な程度に、それぞれ近接している。
【００５０】
（音を発生する機構）
このように、収納ユニット４に複数の指輪１０が収納され、その状態で、ハンドル５４を回動させると、次に示すような機構で、保持部材３が回動して振動板９が振動することによって音が生じ、指輪１０の突起２１の植設パターンに応じて所定の旋律が奏でられる。
【００５１】
駆動構造１８を構成するウォームホイール５３は、上記のように軸体２２のうち第２フレームの２つの側壁部の間にある部分の所定位置に配置されている。収納ユニット４においては、第１フレーム５の第２壁部３７の上面に第２フレーム６の連結壁部４６を載置した場合に、ウォームホイール５３の周面が動力伝達軸５０の円筒ウォーム５２のウォーム部５６に対面し、ウォームホイール５３のギア歯と円筒ウォーム５２のウォーム歯とが互いに噛み合う。そして第１フレーム５の第２壁部３７の上面に第２フレーム６の連結壁部４６を載置した状態で手動によりハンドル５４に回転力が加えられると、動力伝達軸５０はハンドル５４を連結した軸体４９の回転によって軸体４９の軸線周りの回動力を生じ、駆動機構１８の円筒ウォーム５２を回動させ、円筒ウォーム５２の回動によってウォームホイール５３と軸体２２が一体に所定方向に回動する。軸体２２が回動すると、この軸体２２の回動に同期して指輪１０も回動する。このように指輪１０が所定方向に回動すると、指輪１０の突起２１の設置パターンに応じて所定のタイミングで振動片１２に選択的に接触係合して、さらに指輪１０の回動が進むとその振動片１２に撓みを生じるとともに振動片１２と突起２１との係合状態が解除され、振動片１２が弾かれることとなり、その際に生じた振動板９の振動が振動媒体１１を介してフレーム体７へと伝えられて共振を生じ、所定の音として周囲に伝達される。このような共振が、指輪１０の突起２１の設置パターンに応じた所定のタイミングで生じる。そして、振動板９は、弾かれる振動片１２の違いに応じて異なる音階の音を生じるように異なる長さの振動片１２を備えて構成されている。こうして、様々な音階の音が、所定のタイミングで生じることとなり、指輪収容ケース１と指輪１０とが一体になった構造体から所定の旋律が奏でられることとなる。すなわち、指輪収容ケース１と指輪１０のセットは、所定の旋律が奏でる楽曲演奏機能を発揮可能なものである。
【００５２】
なお、第１の実施形態の指輪収納ケース１において、指輪１０が保持部材３の軸部１９に取り付けられることで収納ユニット４に収納された場合に上記のように振動板９と保持部材３と指輪１０が連動して所定の音を発生させるように構成される。すなわち、収納ユニット４に指輪１０が一体的に収納されることで音を発生させる発音機構が形成されていることになる。このとき、発音機構は、振動板９と保持部材３と指輪１０で構成される。また、第１の実施形態の指輪収納ケース１においては、発音機構を構成する保持部材３の軸部１９を駆動させる駆動機構１８は、動力伝達軸５０とギア機構５１とで同期回動構造を構成する。同期回動構造は、複数の指輪を軸部に取り付けた場合に、軸部の回動に応じて軸部の軸線まわりに複数の指輪を互いに同期して回動させる構造である。
【００５３】
また、第１の実施形態の指輪収納ケース１において、第２フレーム６は、支軸８を介して回動可能に第１フレーム５に取り付けられており、第２フレーム６の連結壁部４６が第１フレーム５の第２壁部３７の上端面に載置されている状態では、振動片１２と突起２１とが接触可能になっていることにより、指輪収納ケース１に指輪１０を取付けた場合に振動板９と指輪１０とが互いに接触可能になる。そして、その指輪収納ケース１において、第２フレーム６の連結壁部４６と第１フレーム５の第２壁部３７の上端面とが離間するように第２フレーム６が支軸８まわりに回動されると、振動片１２と指輪１０の突起２１とが非接触となる。振動片１２と指輪１０の突起２１とが非接触となる場合は、例えば、図２中、第２フレーム６が破線Ｋで示す位置にある場合である。このように、指輪収納ケース１には、少なくとも振動片１２と指輪１０とが非接触となる位置まで変位させる変移機構が備えられている。指輪収納ケース１にこのような変移機構が設けられることで、指輪１０の保持部材３に対する着脱をより容易にするとともに、その着脱時に指輪１０の傷つきが生じる虞を効果的に抑制する効果がもたらされる。
【００５４】
（第２の実施形態）
次に、本発明の指輪収納ケース１００について、図６内に示される指輪収納ケース１００の実施例（第２の実施形態の指輪収納ケース１０１）に基づき詳細に説明する。
【００５５】
本発明の第２の実施形態の指輪収納ケース１０１（１００）は、筺体１０２を備えるとともに、所定のパターンで表面に凹部を形成している複数の指輪７１（１０）を保持するための保持部材１０３を有する収納ユニット１０４を筺体１０２内に設けた指輪１０収納用の収納ケースである。
【００５６】
（筺体１０２及び保持部材１０３）
第２の実施形態の指輪収納ケース１０１の筺体１０２及び保持部材１０３は、第１の実施形態の指輪収納ケース１の筺体２及び保持部材３と同様に構成されたものが用いられる。
【００５７】
（収納ユニット１０４）
収納ユニット１０４は、筺体１０２内に配置固定される第１フレーム１０５とその第１フレーム１０５に対して支軸１０８まわりに回動可能に固定された第２フレーム１０６とからなる一対のフレーム体１０７と、第１フレーム１０５の所定位置に固定された振動ユニット１１０，１１０とを有している。さらに、収納ユニット１０４は、第１の実施形態の指輪収容ケース１と同様に、第２フレーム１０６の所定位置に保持部材１０３の軸部にて、その保持部材１０３を回動可能に配設しており、フレーム体１０７に、保持部材１０３の軸部１９を駆動させる駆動機構を構成する各種の部材を組み込んでいる。
【００５８】
（振動ユニット１１０）
振動ユニット１１０は、第１フレーム１０５に取り付けられる台座２００と、台座２００の上面の上方所定位置に軸線方向に回動可能に設けられる回動体２０１と、振動板１０９を備えてなる。振動ユニット１１０には、駆動機構を構成する後述の動力伝達軸からの回動力を回動体２０１に伝達するためのギア（図１０（ａ）の例では、第６ギア２２６）を設けた中継軸２０２と、中継軸２０２の回動力を回動体２０１に伝達するギア（図１０（ａ）の例では、第８ギア２２８と第１０ギア２３０）がさらに設けられる。
【００５９】
（振動板１０９）
振動板１０９は、振動片１１２と振動媒体１１１を有してなり、振動媒体１１２および振動媒体１１１は、それぞれ、第１の実施形態の指輪収納ケース１に用いられる振動板９の振動片１２および振動媒体１１と同様に構成されるものを用いられる。ただし、図１０（ａ）に示す例では、振動板１０９として、振動板１０９を台座２００に取り付けるための孔を１つ形成したものが用いられている。
【００６０】
（回動体２０１）
回動体２０１は、図１０（ａ）に示すように、連動軸２０５と、連動軸２０５に固定された複数のワッシャー２０６と、隣り合うワッシャー２０６の間に配置された板カム２０７とから構成され、連動軸２０５の軸線方向にワッシャー２０６と板カム２０５とを交互に積層してなる。
【００６１】
ワッシャー２０６は、中心に連動軸２０５を通じる孔部２０８を形成していればその形状を特に限定されるものではないが、板カム２０７の側面と均一に面接触するにはドーナツ型であることが好ましい（図１０（ｂ））。また、ワッシャー２０６は、樹脂からなり金属よりも大きな表面の摩擦係数を有するものであることが好ましい。また、ワッシャー２０６が樹脂からなる場合、ワッシャー２０６を連動軸２０５に圧入することでワッシャー２０６を連動軸２０５に容易に取り付けることができるという利点もある。
【００６２】
板カム２０５は、円板部２１３の中心に連動軸２０５を通じる孔部２０９を形成するとともにその円板部の周面上、円板部２１３の径方向外向きに複数の突出部２１０を延設形成してなる。図１０（ｃ）の例では、突出部２１０は、円板部２１３の周面上に放射状に９０度の位相角をもって等間隔に４つ形成されており、個々の突出部２１０は、先端から基端に向かって円板部２１３の周方向の一方側にやや湾曲しながら膨出した湾曲楔形に形成されて、円板部２１３の周面方向に膨出面２１１と非膨出面２１２をと形成している。
【００６３】
回動体２０１は、連動軸２０５にワッシャー２０６と板カム２０７を交互に挿通するとともに、ワッシャー２０６を連動軸２０５に固定することで形成される。このとき、板カム２０７とワッシャー２０６とは相互に当接しており、板カム２０７の突出部２１０の先端は、ワッシャー２０６の周面よりも連動軸２０５の径方向外側に向かって突出している。回動体２０１において、板カム２０７は、連動軸２０５に対しては固定されていない。
【００６４】
回動体２０１では、ワッシャー２０６は連動軸２０５と一体的に回動し、板カム２０７は、ワッシャー２０６から受ける摩擦力によってワッシャー２０７とともに回動される。ところが、板カム２０７の突出部２１０の先端に作用力が働くと、板カム２０７はその作用力に応じた回動運動を行うようになって、板カム２０７の回動が規制されることとなり、板カム２０７は、連動軸２０５とワッシャー２０６に対してすべりを生じて回動方向および回動速度を異にするようになりうる。
【００６５】
（台座２００）
台座２００は、略四角錐台の構造体の上面内の所定位置から後方側面２１９に向けて上面の一側周縁に沿って左右側面２１８，２１８に挟まれた部分を部分的に斜下方向に切り欠いてなる切欠部２１４を形成しており、切欠部２１４の左右両側縁部に、上方に向かって互いに対面するように側壁２１７，２１７を形成している。それぞれの側壁２１７，２１７は、台座２００の左右側面２１８，２１８の一部をなしている。側壁２１７，２１７の所定の位置には、連動軸２０５を支持する軸受孔２１５，２１５が形成されている。台座２００の軸受孔２１５の直下位置に、左右方向に台座２００を貫通する貫通孔２１６が形成されている。貫通孔２１６は、一方端側に孔径差を有して、大口径の孔の内側に小口径の孔を一方端側に形成しており、全体として段差孔を形成している。また、台座２００には、切欠部２１４面内所定位置に下方向に向かって台座２００を貫通する取り付け孔が形成されている。さらに、この取り付け孔は、台座２００を第１フレーム１０５に螺子止めするための孔である。なお、振動ユニット１１０をフレーム体１０７に取付けた場合に、水平に保持部材１０３に対して近づく方向を後方向とし、その逆を前方向とする。また、振動ユニット１１０をフレーム体１０７に取付けた場合に、保持部材１０３の軸部１９の軸線方向と平行な方向を左右方向とする。
【００６６】
（振動ユニット１１０の組立て）
台座２００の軸受孔２１５に連動軸２０５を通じ、互いに対面する側壁２１７，２１７の間に板カム２０７とワッシャー２０６の積層構造が位置するように回動体２０１を配置させることで、回動体２０１が台座２００に対して連動軸２０５の軸心まわりに回動可能に取り付けられる。このとき、回動体２０１における上記積層構造は、切欠部２１４の上方に位置する。さらに、台座２００の後方側面２１９に振動板１０９が螺子固定される。このとき、振動板１０９の振動片１１２は、その先端が斜め上方を向いて回動体２０１の回動面に向かうとともに、切欠部２１４と回動体２０１の隙間に入り込んで板カム２０７の突出部２１０に接触可能になるように、配置される。また、振動ユニット１１０には、軸受孔２１５の下方の貫通孔２１６に中継軸２０２が通ぜられており、さらに中継軸２０２の一方端部（段差孔を形成しているほうに向けられる端部）に傘歯ギア（図１０（ａ）では第６ギア２２６）、他方端部に平歯ギア（図１０（ａ）では第８ギア２２８）が設けられる。そして、中継軸２０２の平歯ギアにかみ合うように、回動体２０１の連動軸２０５の軸端には、平歯ギア（図１０（ａ）では第１０ギア２３０）が設けられる。こうして、中継軸２０２と連動軸２０５の軸端は、台座２００の側面２１８よりも左右方向外側に突出しており、それぞれの突出した同側の軸端に平歯ギアが設けられ、他方端について、中継軸２０２には傘端ギアが設けられる。さらに、連動軸２０５の他方端については、かしめ止めされている。こうして、台座２００に振動板１０９と回動体２０１を取り付けた振動ユニット１１０が形成されている。
【００６７】
（フレーム体１０７）
フレーム体１０７は、第１フレーム１０５を筺体１０２内の内側底面所定位置に螺子固定されるとともに第１フレーム１０５の上に第２フレーム１０６を配置させている。
【００６８】
第１フレーム１０５は、図７に示すように、第１の実施形態の指輪収納ケース１に用いられる第１のフレーム５と同様に、中央に長方形上の開口部１３５を形成して平面ロ字形状に形成され、第１壁部１３６と第２壁部１３７を立設形成し、下側部１３８，１３８、上側部１６０，１６０を形成している。さらに、第１壁部１３６には、第１の実施形態の指輪収納ケース１と同様に支軸挿通孔１４１が形成されている。
【００６９】
第１フレーム１０５の第１壁部１３６と第２壁部１３７それぞれの面内方向所定位置には、後述の駆動機構１１８を構成する第１動力伝達軸１５０を支持するための支持孔（第１支持孔）が穿かれているほか、第１壁部１３６と第２壁部１３７のそれぞれに、第１支持孔から所定間隔をおいた位置に第２動力伝達軸１６３を支持するための第２支持孔が設けられる。このとき、第１壁部１３６と第２壁部１３７の第１支持孔が互いに対面し合う位置に形成されており、第２支持孔同士も互いに対面する位置に形成されている。
【００７０】
また、第１フレーム１０５の開口部１３５を挟んだ２つの下側部１３８，１３８それぞれに、開口部１３５の長手方向に沿って細長な長孔１６２，１６２が穿設形成されている。長孔１６２，１６２は、その短手方向縦断面を略逆Ｔ字状に形成された段差孔であり、下側部１３８の裏面側に段差を形成している。
【００７１】
第２フレーム１０６は、第１の実施形態の指輪収納ケース１に用いられる第２フレーム６の側壁部４５、連結壁部４６、支軸挿通孔４７、支持孔４８と同様に、側壁部１４５、連結壁部１４６、支軸挿通孔１４７、支持孔１４８を形成したものを用いられる。
【００７２】
フレーム体１０７では、第１の実施形態の指輪収納ケース１と同様に、第１フレーム１０５と第２フレーム１０６の支軸挿通孔１４１，１４７が対面配置されるとともに支軸１０８が支軸挿通孔１４１，１４７に挿通されることで、第１フレーム１０５に第２フレーム１０６が支軸１０８まわりに回動可能に取り付けられる。
【００７３】
（駆動機構１１８）
駆動機構１１８は、保持部材１０３の軸体２２を駆動させる機構であり、駆動軸体１４９を備える動力伝達軸（第１動力伝達軸１５０）と、伝達ギア機構とからなる。この伝達ギア機構は、第１動力伝達軸１５０の回動力を、第２動力伝達軸１６３、中継軸２０２、振動ユニット１１０の連動軸２０５、および保持部材１０３に伝達するためのギア構造で構成される。すなわち、伝達ギア機構は、第２動力伝達軸１６３、第１動力伝達軸１５０に軸線を揃えて設けられるねじ歯車（円筒ウォーム１５２）と、円筒ウォーム１５２の歯溝にかみ合うように歯溝を形成したはす歯歯車（ウォームホイール１５３）と、第１動力伝達軸１５０と第２動力伝達軸１６３とを連動させる第１ギア２２１と第２ギア２２２、第１動力伝達軸１５０と中継軸２０２を連動させる第３ギア２２３と第５ギア２２５、第１動力伝達軸１５０と連動する中継軸２０２からさらに連動軸２０５を連動させて中継軸２０２と連動軸２０５を連動させる第７ギア２２７と第９ギア２２９、第２動力伝達軸１６３と中継軸２０２を連動させる第４ギア２２４と第６ギア２２６、第２動力伝達軸１６３と連動する中継軸２０２からさらに連動軸２０５を連動させて中継軸２０２と連動軸２０５を連動させる第８ギア２２８と第１０ギア２３０とで構成される（図６，７，８，９）。
【００７４】
ここに、第１ギア２２１、第２ギア２２２、第７ギア２２７、第８ギア２２８、第９ギア２２９、第１０ギア２３０は、いずれも、平歯ギアである。第３ギア２２３、第４ギア２２４、第５ギア２２５、第６ギア２２６は、傘歯ギアである。これらのギアは、平歯ギアと傘歯ギアいずれも、ギア歯面を形成したギア部の回動軸方向にリブ部を延設形成するとともに、回動中心軸に沿ってギア部とリブ部を貫通する挿通孔を形成しており、リブ部の周面所定位置には、ギア部の径方向に沿って、各ギアをネジ止固定するためのネジを通じるための孔部を形成している。
【００７５】
第１動力伝達軸１５０は、駆動軸体１４９の一方端に第１動力伝達軸１５０を軸心周りに回動させるためのハンドル１５４（図６では、クランクハンドル）を取り付けられている。さらに、第１動力伝達軸１５０の駆動軸体１４９の他方端側近傍の所定位置には円筒ウォーム１５２がウォーム部１５６から軸心方向に延びるリブ部１５５にて螺子止めされて設けられており、円筒ウォーム１５２は駆動軸体１４９と一体に回動する。第１動力伝達軸１５０における円筒ウォーム１５２は、第１ギア２２１とハンドル１５４の間に固定される。なお、第１ギア２２１は、そのリブ部に形成された孔部に螺子を通じて駆動軸体１４９に、螺子止め固定されている。このとき、第１ギア２２１は、駆動軸体１４９の他方端（ハンドル１５４の取り付け端とは逆側の端）と円筒ウォーム１５２の取り付け位置の間位置に固定されている。第１動力伝達軸１５０には、第３ギア２２３が、傘歯の歯面を円筒ウォーム１５２に向けつつ、駆動軸体１４９に、円筒ウォーム１５２とハンドル１５４の間の位置にて螺子止め固定されている。
【００７６】
第２動力伝達軸１６３には、駆動軸体１６４の一方端よりもやや軸線方向内側に第２ギア２２２が、そのリブ部に形成された孔部に螺子を通じて駆動軸体１６４に螺子止め固定されている。第２ギア２２２の固定位置は、第１動力伝達軸１５０と第２動力伝達軸１６３を第１フレーム１０５に取りつけた際に第１ギア２２１と第２ギア２２２のそれぞれのギア部平歯同士が互いに噛み合うような位置となっている。第２動力伝達軸１６３には、第４ギア２２４が、その傘歯の歯面の向きを、第２ギア２２２にむけつつ、第１動力伝達軸１５０と第２動力伝達軸１６３を第１フレーム１０５に取りつけた際に第３ギア２２３の位置と隣り合うように、螺子止め固定されている。このとき、第４ギア２２４と第３ギア２２３の傘歯の向きは、互いに揃えられている。
【００７７】
ウォームホイール１５３は、第１の実施形態の指輪収納ケース１に用いるものと同様にギア部１５８と環状リブ部１５９を有して構成されるとともに、保持部材１０３の軸体２２の所定の位置に螺子などにて位置決め固定され、軸体２２と一体に回動するようになっている。
【００７８】
第５ギア２２５と第６ギア２２６は、それぞれ振動ユニット１１０の中継軸２０２の軸端（開口部１３５に近いほうの端部）に固設されており、第５ギア２２５と第６ギア２２６の回動と中継軸２０２の回動が同期する。第５ギア２２５、第６ギア２２６は、振動ユニット１１０を第１フレーム１０５に取り付けたときに、それぞれ第１動力伝達軸１５０の第３ギア２２３、第２動力伝達軸１６３の第４ギア２２４に対してかみ合うように、それぞれの振動ユニット１１０の中継軸２０２に設けられる。
【００７９】
第８ギア２２８と第１０ギア２３０は、上記したように、互いにかみ合うように、それぞれ振動ユニット１１０の中継軸２０２と連動軸２０５に設けられる。また、第７ギア２２７と第９ギア２２９についても、第８ギア２２８と第１０ギア２３０と同様に、互いにかみ合うように、それぞれ振動ユニット１１０の中継軸２０２と連動軸２０５に設けられる。
【００８０】
（収納ユニット１０４の組立て）
収納ユニット１０４は、振動ユニット１１０と保持部材１０３と第１動力伝達軸１４９と第２動力伝達軸１６３がフレーム体１０７に取り付けられることで形成される。
【００８１】
振動ユニット１１０は、台座２００に設けられた取り付け孔を第１フレーム１０５の長孔１６２に重ねるように所定位置に配置されて、取り付け孔と長孔１６２の幅狭部に螺子２３１を貫通させるとともに長孔１６２の幅広部にナット２３２を配してナット２３２で締結固定することで、第１フレーム１０５に取り付けられる。ところで、振動ユニット１１０においては、振動ユニット１１０の板カム２０７の突出部２１０の先端が保持部材１０３の固定部材２３に取付けられる指輪７１の外表面に接触する程度に、板カム２０７と保持部材１０３との離間距離が保持されることが必要となる。ここで、指輪７１には様々なサイズのものが存在することから、様々なサイズの指輪７１が固定部材２３に取付けられる可能性があるため、第１フレーム１０５に対する台座２００の相対的な取り付け位置が適宜調節可能であることが好ましい。この点、第１フレーム１０５には長孔１６２が形成されているため、長孔１６２と螺子２３１の相対的な固定位置を長孔１６２の長手方向に適宜変更することで、振動ユニット１１０の第１フレーム１０５に対する取り付け位置を調整でき、板カム２０７と保持部材１０３との離間距離を調整することができる。
【００８２】
第１動力伝達軸１５０は、第１フレーム１０５の第１壁部１３６と第２壁部１３７に向かいあうように設けられた２つの第１支持孔に駆動軸体１４９を通ずることで、第１フレーム１０５に回動可能に支持される。また、第１壁部１３６と第２壁部１３７の間の所定位置に円筒ウォーム１５２が位置し、第１動力伝達軸１５０の駆動軸体１４９の一方端は、第１フレーム１０５の第２壁部１３７の第２支持孔を貫通して第２壁部１３７よりも外側に位置しており、その駆動軸体１４９端部側にハンドル１５４が設けられている。
【００８３】
第２動力伝達軸１６３は、第１フレーム１０５の第１壁部１３６と第２壁部１３７に向かい合うように設けられた２つの第２支持孔に駆動軸体１６４を通ずることで、第１フレーム１０５に回動可能に支持される。このとき、第１動力伝達軸１５０と第２動力伝達軸１６４は横並びに配列される。
【００８４】
保持部材１０３は、その軸体２２を、第２フレーム１０６の２つの側壁部１４５，１４５それぞれに設けられた支持孔１４８，１４８のそれぞれに挿通させることで、軸体２２の軸周りに回動可能に第２フレーム１０６に取り付けられる。このとき、軸体２２の両端面は、第２フレーム１０６の外側まで突出しており、固定部材２３は、第２フレーム１０６の外側に位置する軸体２２の両端部に取り付けられている。
【００８５】
このように、駆動機構１１８を構成する各種ギア等が取り付けられた振動ユニット１１０と保持部材１０３と第１動力伝達軸１４９と第２動力伝達軸１６３が、それぞれフレーム体１０７に取り付けられると、収納ユニット１０４が形成される。収納ユニット１０４は、第１フレーム１０５の第２壁部１３７の上面に第２フレーム１０６の連結壁部１４６を載置した場合に、回動体２０５の板カム２０７の突出部２１０が保持部材１０３の固定部材２３の側周面に向けられており、保持部材１０３に指輪１０を取り付けた場合に指輪１０の側周面に突出部２１０の先端が接触する。また、第１動力伝達軸１５０と保持部材１０３の相互の配置は、収納ユニット１０４が第１フレーム１０５の第２壁部１３７の上面に第２フレーム１０６の連結壁部１４６を載置した状態である場合に、保持部材１０３のウォームホイール１５３の周面が第１動力伝達軸１５０の円筒ウォーム１５２のウォーム部１５６に対面し、ウォームホイール１５３のギア歯と円筒ウォーム１５２のウォーム歯とが互いに噛み合うような配置、となっている。
【００８６】
（指輪収納用ケース１０１の組立て）
指輪収納用ケース１０１は、第１の指輪収納ケース１と同様に、収納ユニット１０４を筺体１０２に設けることで得ることができる。
【００８７】
次に、指輪１０について説明する。
【００８８】
（指輪１０）
第２の実施形態の指輪収納ケース１０１に収納される指輪１０には、図５（ｂ）に示すように、環状体２０の円筒外側面（回動表面）に所定のパターンの凹部を形成している指輪７１が用いられる。指輪７１（１０）の凹部は、環状体２０の円筒外側表面上に所定のパターンで多数の小孔１２１を形成することにより形成されている。すなわち、指輪７１においては、個々の小孔１２１が凹部をなしている。
【００８９】
小孔１２１の植設パターンは次のように定められる。すなわち、個々の小孔１２１は、指輪収納ケース１０１に指輪７１を収納した際に所定の１つの板カム２０７の突出部２１０の先端に対して対面するような位置に植設される。さらに、小孔１２１の植設パターンは、第１の実施形態の指輪収納ケース１と同様に、指輪収納ケース１０１に指輪７１（１０）を収納した状態で保持部材３を回動させて振動板９を振動させることによって奏でさせようとする旋律に応じて適宜選択される。
【００９０】
個々の小孔１２１の口径は、指輪収納ケース１０１に指輪７１を収納した際に指輪７１の回動表面に対して対面することになる個々の板カム２０７の突出部２１０の対面幅程度の大きさである。また、小孔１２１の深さは、指輪収納ケース１０１に指輪７１を収納した際に対面する板カム２０７の突出部２１０に対して接触して係止可能となるような深さであって、指輪７０の回動に応じて板カム２０７の突出部２１０の先端に対して係脱自在となるような深さを適宜選択される。このような深さが選択されることにより、指輪収納ケース１に指輪７０を収納するとともに回動させた際に、指輪７０において突起２１が板カム２０７の突出部２１０に接触して突出部２１０の接触に応じて振動片１１２を選択的に弾くように、小孔１２１が指輪７１に植設されていることになる。
【００９１】
（指輪収納ケース１０１への指輪１０の収納）
指輪収納ケース１０１への複数の指輪１０の収納は、第１の実施形態の指輪収納ケースにおける指輪１０の収納と同様に、保持部材１０３へ複数の指輪１０を取り付けることよって実現される。このとき、第１の実施形態の指輪収納ケース１と同じく、固定部材２３の外面の所定位置に位置指定標識を設けておくとともに、固定部材２３の外面の位置指定標識３９に対して向かい合わせとなる指輪１０の所定位置に対面位置指定標識を設けておくことが好ましい。
【００９２】
（音を発生する機構）
このように、収納ユニット１０４に指輪１０が収納され、その状態で、ハンドル１５４を回動させると、次に示すような機構で、保持部材１０３が回動して振動板１０９が振動することによって音が生じ、指輪１０の小孔１２１の植設パターンに応じて所定の旋律が奏でられる。
【００９３】
まず収納ユニット１０４に指輪１０が取り付けられると、第１フレーム１０５の第２壁部１３７の上面に第２フレーム１０６の連結壁部１４６を載置した場合に、振動ユニット１１０の板カム２０７の突出部２１０の先端が指輪１０の側周面に向けられる。振動片１１２と板カム２０７と指輪１０の位置関係は、振動片１１２が弾かれる際、板カム２０７の中心と突出部２１０と指輪１０の中心とが一直線状に並んでおり、振動片１１２が弾かれる前後では、板カム２０７の突出部２１０が指輪１０の回動表面に当接する（図１２（ａ）（ｂ））ような位置関係となっている。そして、振動ユニット１１０の振動片１０９は、板カム２０７の突出部２１０に対して鉛直方向に対してやや斜め方向から当接する。
【００９４】
さて、第１フレーム１０５の第２壁部１３７の上面に第２フレーム１０６の連結壁部１４６を載置した状態で、手動によりハンドル１５４に回転力を加えられると、第１動力伝達軸１５０はハンドル１５４を連結した駆動軸体１４９の回転によって駆動軸体１４９の軸線周りの回動力を生じ、円筒ウォーム１５２が回動し、円筒ウォーム１５２の回動によってウォームホイール１５３と軸体２２が一体に所定方向に回動する。軸体２２が回動すると、この軸体２２の回動に同期して複数の指輪１０も同方向に回動する。これと同時に、第１動力伝達軸１４９に対して第１ギア２２１に噛み合う第２ギア２２２を介して第２動力伝達軸１６３が逆方向に回転する。第１ギア２２１の回動に同期して、同方向に第３ギアが回動し、第２ギア２２２の回動に同期して、同方向に第４ギア２２４が回動する。そして、第３ギア２２３，第４ギア２２４の回動に合わせて第５ギア２２５，第６ギア２２６に回動力が生じるとともにこの回動に同期して中継軸２０２の回動が生じ、第８ギア２２８から第１０ギア２３０へ、第７ギア２２７から第９ギア２２９へと回転力が順次伝えられて、複数の指輪１０のそれぞれに対面するそれぞれの回動体２０１の連動軸２０５が回動する。なお、それぞれの連動軸２０５の回動方向は、複数の指輪１０のそれぞれの回動方向に対して互いに逆むきである（図１２（ａ））。通常、連動軸２０５まわりに円軌道を描く板カム２０７の先端が下方から上方に向かって動く間に、板カム２０７の先端と指輪１０の周面とが最も近接する状態となるように、連動軸２０５が矢印Ｒ２方向に回動する。指輪１０は、その逆向き（矢印Ｒ１）方向に回動する。このとき、連動軸２０５の回動速度が指輪１０の回動速度よりも大きくなるように、指輪１０と連動軸２０５の相対的な回動速度が調節されている。
【００９５】
板カム２０７の突出部２１０の先端が指輪１０の小孔１２１以外の側周面に接するときには、板カム２０７の突出部２１０の先端の膨出面２１１が指輪１０の周面に当接する。そして、このときには、板カム２１０の突出部２１０の先端は、指輪１０の周面上を滑るとともに指輪１０の周面から連動軸２０５の回動方向とは逆方向の力を受けて、板カム２０７の回転が規制され、板カム２０７は連動軸２０５に対してもすべりを生じる（空転する）。
【００９６】
そして、指輪１０の回動が進んで、板カム２０７の突出部２１０の先端が指輪１０の小孔１２１に当接するとき、小孔１２１の位置（指輪１０の回動軸線方向に沿った位置）に応じて選択的に板カム２０７の突出部２１０の先端がその小孔１２１に係合する。指輪１０の小孔１２１は、板カム２０７の突出部２１０の非膨出面２１２側から当接してこれに係合し、小孔１２１が板カム２０７の突出部２１０を上方に向かって押圧する。これにより、小孔１２１の動きに伴って板カム２０７が回動することになる（図１２（ａ））。そして、これにともない、その板カム２０７の突出部２１０のうち小孔１２１に係合していないものの膨張面２１１側の先端が、振動片１１２の隆起部側から振動片１１２に接触する。そして、その板カム２０７の更なる回動に伴ってその振動片１１２を選択的に弾く。
【００９７】
その後、指輪１０の回動が進んで板カム２０７の突出部２１０の先端と小孔１２１との係合が解除されるにいたると、板カム２０７はワッシャー２０６から受ける摩擦力によって連動軸２０５の回動に同期して回動するようになる。すると、板カム２０７の突出部２１０の先端の膨出面２１１が指輪１０の回動面に対して斜め下方から接し、再び、板カム２０７は連動軸２０５に対して空転するようになる（図１２（ｂ））。こうして、指輪１０の小孔１２１が板カム２０７の突出部２１０の先端に所定のタイミングで嵌り込んで板カム２０７に規制された回動を行わせ（図１２（ａ））、この回動に伴って板カム２０７の突出部２１０の先端が振動板１０９の振動片１１２を選択的に弾くようになる。ここに、振動板１０９は、弾かれる振動片１１２の違いに応じて異なる音階の音を生じるように異なる長さの振動片１１２を備えて構成されている。これにより、様々な音階の音が、所定のタイミングで生じることとなり、指輪収容ケース１０１と指輪１０とが一体になった構造体から所定の旋律が奏でられることとなる。すなわち、指輪収容ケース１０１と指輪１０のセットは、所定の旋律が奏でる楽曲演奏機能を発揮可能なものである。
【００９８】
なお、第２の実施形態の指輪収納ケース１０１において、指輪１０が保持部材１０３の軸部１９に取り付けられることで収納ユニット１０４に収納された場合に上記のように振動ユニット１１０と保持部材３と指輪１０が連動して所定の音を発生させるように構成される。すなわち、収納ユニット１０４に指輪１０が収納されることで一体的に音を発生させる発音機構が形成されていることになる。このとき、発音機構は、振動ユニット１１０と保持部材３と指輪１０で構成される。また、第２の実施形態の指輪収納ケース１０１においては、発音機構を構成する保持部材１０３の軸部１９を駆動させる駆動機構１１８は、第１動力伝達軸１５０とギア機構５１とで同期回動構造を構成する。同期回動構造は、既述のように、複数の指輪１０を軸部１９に取り付けた場合に、軸部１９の回動に応じて軸部１９の軸線まわりに複数の指輪１０を互いに同期して回動させる構造である。
【００９９】
（第１，２の実施形態の変形例）
本発明では、上記のように指輪１０を着脱自在に構成した保持部材３や保持部材１０３と発音機構と同期回動構造を備えるものであれば、上記の各実施形態に示す例に限定されるものではない。
【０１００】
（軸部１９）
上記の第１，２の実施形態では、軸部１９は、軸体２２の両端に固定部材２３を設けた構成を備えていたが、これに限定されず、軸部１９の少なくとも一方端に固定部材２３が設けられておればよい。この場合、指輪１０は、軸部１９の一方端に設けられることになる。
【０１０１】
（固定部材２３）
上記の第１，２の実施形態では、固定部材２３が上述のように構成されているものに限定されない。
【０１０２】
固定部材２３は、調節螺子２５０と、調節螺子２５０を螺合固定する被チャック穴２５１を形成した固定材２５２を有するものでもよい（図１１（ａ））。被チャック穴２５１は、テーパー状の窪みの中央に穴を形成してなる断面略ロート状の形状に形成される。
【０１０３】
固定材２５２には、被チャック穴２５１の径方向に放射状にスリット２５３が複数切り込み形成されている。図１１（ａ）の例では、スリット２５３は、３本設けられる（図では１本のみ表示）。このとき、被チャック穴２５１の外周に沿って隣り合う２つのスリット２５３によりそれらのスリット２５３間に爪部２５４が形成され、３つの爪部２５４が形成される。この場合、固定材２５２は、いわゆる三つ爪チャックをなす。
【０１０４】
調節螺子２５０は、螺子溝を形成した胴部２５５と、胴部２５５に近い位置ほど小径となるようなテーパー状に形成された傾斜面を有する頭部２５６とを備えるとともに、頭部２５６側の端面にＩ字状のツマミ部２５７を突出形成してなる。
【０１０５】
調節螺子２５０が固定材２５２の被チャック穴２５１に挿入され、ツマミ部２５７が手動により回動されると、調節螺子２５０の頭部２５６は、被チャック穴２５１の傾斜面部に当接する。さらにツマミ部２５７が回動されると、固定材２５２の径方向外側に向かって被チャック穴２５１の傾斜面部に対して外側への押圧力を負荷するようになり、爪部２５４が外方向に押し広げられ、固定材２５１の外径が拡大する。このとき指輪１０が固定材２５１に外嵌されていると、指輪１０の内面に固定材２５１の外周面が押し当てられ、指輪１０は、固定材２５１に固定される。
【０１０６】
固定部材２３は、図１１（ｂ）に示すように、ゴム弾性を有する環状のゴムリブ２６０を円柱体の外周面に突設した弾性固定材からなるものであってもよい。この場合、指輪１０を固定部材２３に嵌めつけることで、固定部材２３における円柱体外周面のゴムリブ２６０が弾性的に指輪１０を固定する。
【０１０７】
固定部材２３は、図１１（ｃ）に示すように、螺子孔（図示せず）を有するボス部２６１とボス部２６１の径方向に広がる鍔部２６２とを形成したボス部材２６３と、ボス部２６１の先端に形成された螺子孔に羅合可能な螺子溝を備える螺子材２６４と、ワッシャー２６５にて構成されてもよい。このとき、ボス部材の鍔部およびワッシャー２６５は、指輪１０の外径よりも大径に形成される。この場合、指輪１０をボス部２６１に通じ、ボス部２６１の先端方向からワッシャー２６５を指輪１０に当接させて、ボス部２６１の螺子孔に螺子材２６４を羅合させることで、指輪１０が、鍔部２６２とワッシャー２６５の間に固定される。
【０１０８】
（変移機構）
上記の実施形態１，２では、指輪収納ケース１，１０１には、少なくとも振動片１２，１１２と指輪１０とが非接触となる位置まで変位させる変移機構が備えられている。
【０１０９】
実施形態１，２では、変移機構に、さらに次のように、第２フレームの変移位置を安定化する機構（変移安定化機構）が備えられてもよい。図１５に示すように、指輪収納ケース１において、変移安定化機構は、第１フレーム５の第１壁部３６の外面側に板バネ２６６を螺子固定して設けるとともに、第２フレーム６の一方の連結壁部４６（支軸挿通孔４７を形成したほうの連結壁部４６）の先端を逆テーパー形状にして構成される。このとき、板バネ４６６の上端（先端）は、第２フレーム６上面位置に達する（図１５（ａ））。これにより、振動片１２と指輪１０とが接触するように第１フレーム５上に第２フレーム６が載置されている場合には、板バネ２６６は第２フレーム６の端面を押圧し、第１フレーム５上に第２フレーム６が載置された状態が維持される。第２フレーム６を回動させて振動片１２と指輪１０とが非接触となる位置まで変位させると、第フレーム６の連結壁部４６の突端が板バネ２６６と第１側壁３６の間に入りこみ、第２フレーム６の位置を安定化させる（図１５（ｂ））。なお、図１５では、第１の実施形態において板バネを設ける場合を例示したが、第２の実施形態においても、これと同様に板バネを設け、第２フレーム１０６の一方の連結壁部１４６の先端を逆テーパーとすることができる。
【０１１０】
（第１フレームと第２フレームの取り付け構造）
上記の第１，２の実施形態では、フレーム体７，１０７は、第２フレーム６，１０６を第１フレーム５，１０５に対して支軸８，１０８まわりに回動可能に取り付けられて構成されたが、第２フレーム６，１０６は第１フレーム５，１０５に対して着脱自在に取り付けられていてもよい。例えば、フレーム体７，１０７は、第１フレームと第２フレームとの当接面に磁石などの磁性体が設けられて第１フレームと第２フレームが互いに磁着されていることで、第２フレームは第１フレームに対して着脱自在に取り付けられていてもよい。
【０１１１】
（駆動機構１８，１１８）
上記の第１，２の実施形態では、駆動機構１８，１１８の動力伝達軸５０、第１動力伝達軸１５０に、ワンウェイクラッチなどの逆回転防止構造が設けられていてもよい（図１４）。逆回転防止構造は、一方向の回転を許容し、逆回転の回転を規制するものである。例えば、図１４に示すように、逆回転防止構造２７０は、第１フレーム５の第１壁部３６に円筒状のアウターレース２７１を設けるとともに、アウターレース２７１の内側に同心となるように駆動軸体４９を配置し、アウターレース２７１と駆動軸体４９の間に複数の球状のローラー２７２をアウターレース２７１内面と駆動軸体４９外面に接するように駆動軸体４９外周面に沿って凡そ等間隔に配置し、駆動軸体４９外面に沿って隣り合うローラー２７２の間に、一端にバネ２７３を接続したリテーナー２７４を配置してなる。逆回転防止構造２７０は、隣り合うリテーナー２７４の間において、アウターレース２７１内面と駆動軸体４９外面の距離（Ｔ）が異なっており、駆動軸体４９がＰ方向に回動する場合には、ローラー２７２がＴの値の比較的大きい部分（幅広通路部分）に進入してローラー２７２はスムーズに回転して、駆動軸体４９の回動が規制されず、駆動軸体４９がＰ方向とは逆向きに回動しようとする場合には、ローラー２７２がＴの値の小さい部分（幅狭通路部分）に進入してローラー２７２の回転が規制され、駆動軸体４９の回動が規制されるようになっている。なお、図１４は、逆回転防止構造が第１の実施形態の指輪収納ケースに設けられている場合の例を示すものである。
【０１１２】
（保持部材３，１０３の駆動）
上記の第１，２の実施形態では、保持部材３，１０３は、ハンドルを有して手動により駆動力を付与されるように構成されていたが、駆動力を付与する機構としては手動に限らず、手動の他の動力源に基づく駆動力を付与されてもよい。例えば、上記の第１，２の実施形態において、ゼンマイ装置がさらに設けられてゼンマイによる動力により保持部材３，１０３が駆動力を付与されてもよい。その場合、第１，２の実施形態において、ゼンマイ装置と、ゼンマイ装置からの駆動力が動力伝達軸に伝達されるようにゼンマイ動力伝達構造が設けられる。ゼンマイ装置とゼンマイ動力伝達構造としては従前より公知なものを適宜用いることができる。
【符号の説明】
【０１１３】
１  指輪収納ケース
２  筺体
３  保持部材
４  収納ユニット
５  第１フレーム
６  第２フレーム
７  フレーム体
８  支軸
９  振動板
１０  指輪
【図１】
2011059462.tif 000003
【図２】
2011059462.tif 000004
【図３】
2011059462.tif 000005
【図４】
2011059462.tif 000006
【図５】
2011059462.tif 000007
【図６】
2011059462.tif 000008
【図７】
2011059462.tif 000009
【図８】
2011059462.tif 000010
【図９】
2011059462.tif 000011
【図１０】
2011059462.tif 000012
【図１１】
2011059462.tif 000013
【図１２】
2011059462.tif 000014
【図１３】
2011059462.tif 000015
【図１４】
2011059462.tif 000016
【図１５】
2011059462.tif 000017